(57)【要約】      （修正有）【課題】定期的に交換する性質の対象物の交換タイミングが明確になり、同時に第三者にも交換されて新しいものとなっているかどうかがわかる定期的に交換する性質の対象物の交換システム。【解決手段】将来に向かって満了する交換時期に関する時間情報が表示された手拭用タオル１をトイレなどの使用場所に目視可能にタオル掛け３に掛けて、担当者が当該手拭用タオル１に表示された時間情報を目視して現在時間との関係で交換時期が経過した、あるいは交換時期間近であると判断すると、新たに将来に向かって交換時期が満了することとなる時間情報が表示された手拭用タオル１と交換して同じ使用場所に目視可能にタオル掛け３に掛けるようにする。【選択図】図２
2014006616.tif 000002
【特許請求の範囲】
【請求項１】
使用場所に配置して定期的に交換する性質の対象物についての交換システムであって、将来に向かって満了する交換時期に関する時間情報が表示された前記対象物を使用場所に目視可能に配置し、担当者が当該前記対象物に表示された前記時間情報を目視して現在時間との関係で交換時期が経過した、あるいは交換時期間近であると判断すると、新たに将来に向かって交換時期が満了することとなる時間情報が表示された前記対象物と交換して同じ使用場所に目視可能に配置することを特徴とする定期的に交換する性質の対象物の交換システム。
【請求項２】
前記時間情報とは所定のある１つの月、所定のある日、所定のある時間、昼夜及び午前と午後のいずれかであることを特徴とする請求項１に記載の定期的に交換する性質の対象物の交換システム。
【請求項３】
前記対象物とはトイレに配置される手拭用タオル、ホテルのシーツ、まくらカバー、バスタオル及びテーブルクロスのいずれかであることを特徴とする請求項１又は２に記載の定期的に交換する性質の対象物の交換システム。
【請求項４】
前記時間情報は複数個所に表示されることを特徴とする請求項１〜３のいずれかに記載の定期的に交換する性質の対象物の交換システム。
【発明の詳細な説明】
【技術分野】
【０００１】
本発明は、例えばトイレに配置される手拭用タオルのように、定期的に交換する性質の対象物についての交換システムに関するものである。
【背景技術】
【０００２】
定期的に交換する性質の対象物、例えばホテルや飲食店等の不特定の人が使用するトイレに配置される手拭用タオルはいつまでも同じタオルを使用することは衛生上好ましくないため、一定時間が経過すると交換するようにすることが望ましい。その他の交換が必要とされる性質の対象物も交換タイミングは異なるものの同様に一定時間が経過すると交換する必要がある。
【発明の開示】
【発明が解決しようとする課題】
【０００３】
上記手拭用タオルの例で言えばタオルを適当に交換するのではなく、きちんと交換タイミングを考慮して交換するものであれば、例えばトイレ掃除をする担当者が時間をチェック表等でチェックして前回の交換タイミングから一定時間が経過しているかどうかでこのタイミングを判断することが考えられる。しかし、一々チェック表を見たり新たにチェック表にチェックを入れるのは面倒である。また、担当者がいいかげんであればチェック表にチェックだけ入れて交換しない可能性もある。
一方、タオルを使用する側もいつ換えたかわからないタオルを使用するのはあまり気持ちのよいものではない。そのためそのタオルが置かれて間もないものかそうでないのか知りたいという潜在的な要望がある。
本発明は、上記問題を解消するためになされたものであり、その目的は、定期的に交換する性質の対象物の交換タイミングが明確になり、同時に第三者にも交換されて当たらしものとなっているかどうかがわかる定期的に交換する性質の対象物の交換システムを提供することにある。
【課題を解決するための手段】
【０００４】
上記目的を達成するために、請求項１に記載の発明では、使用場所に配置して定期的に交換する性質の対象物についての交換システムであって、将来に向かって満了する交換時期に関する時間情報が表示された前記対象物を使用場所に目視可能に配置し、担当者が当該前記対象物に表示された前記時間情報を目視して現在時間との関係で交換時期が経過した、あるいは交換時期間近であると判断すると、新たに将来に向かって交換時期が満了することとなる時間情報が表示された前記対象物と交換して同じ使用場所に目視可能に配置することをその要旨とする。
また、請求項２に記載の発明では請求項１に記載の発明の構成に加え、前記時間情報とは所定のある１つの月、所定のある日、所定のある時間、昼夜及び午前と午後のいずれかであることをその要旨とする。
また、請求項３に記載の発明では請求項１又は２に記載の発明の構成に加え、前記対象物とはトイレに配置される手拭用タオル、ホテルのシーツ、まくらカバー、バスタオル及びテーブルクロスのいずれかであることをその要旨とする。
また、請求項４に記載の発明では請求項１〜３のいずれかに記載の発明の構成に加え、前記時間情報は複数個所に表示されることをその要旨とする。
【０００５】
上記のような構成では、担当者は将来に向かって満了する交換時期に関する時間情報が表示された対象物を使用場所に目視可能に配置する。この対象物を見れば担当者以外の第三者でも時間情報からこの対象物の交換時期がわかることとなる。時間が経過して時間情報に基づいて担当者が交換時期となった、あるいは交換時期間近になったと判断すると新たに将来に向かって交換時期が満了することとなる時間情報が表示された対象物と交換する。
このような構成であれば、担当者は交換時期がくれば対象物の時間情報に基づいて交換することができ、第三者は対象物の時間情報に基づいてその対象物が新しいものかそうでないものかがわかることとなる。
【０００６】
ここに、時間情報とは所定のある１つの月、所定のある日、所定のある時間、昼夜及び午前と午後のいずれかであることが好ましい。「所定のある１つの月」とは、例えば５月とか６月といったある１２ヶ月のうちの１つの月を意味する。「所定のある日」とは１３日とか２７日のような数字で示される日やこどもの日とか敬老の日というような「一年のうちのある日」として日付が確定できるような日が挙げられる。「所定のある時間」とは「１１ＰＭ」という任意のある１つの時間や「７ＡＭ〜１２ＰＭ」のような幅のある時間の両方を意味する。これらのような表現であれば例えばタオルに表示するようにすれば洗濯して何度でも所定のサイクルで使い回すことが可能だからである。
もっとも、これらに限らず、具体的なある日からある日まで、例えば５月３日〜５月９日までのような任意の期間を時間情報とするようにしてもよい。
対象物としては一例として、トイレに配置される手拭用タオル、ホテルのシーツ、まくらカバー、バスタオル及びテーブルクロスが挙げられる。
時間情報は一箇所のみならず複数個所に表示することが可能である。複数個所に表示する場合にすべての時間情報が同時に見えてなければならないわけではない。
【発明の効果】
【０００７】
上記各請求項に記載の発明によれば、担当者は交換時期がくれば対象物の時間情報に基づいて交換することができ、第三者は対象物の時間情報に基づいてその対象物が新しいものかそうでないものかがわかることとなる。
【図面の簡単な説明】
【０００８】
【図１】本発明の実施の形態に使用する手拭用タオルの正面図。
【図２】同じ実施の形態の手拭用タオルの使用状態を説明する説明図。
【図３】担当者の所作を説明するフローチャート。
【発明を実施するための形態】
【０００９】
以下、本発明の定期的に交換する性質の対象物の交換システム（以下交換システムとする）の具体的な実施の形態を図面に基づいて説明する。
図１は交換システムにおいて使用する手拭用タオル１の表面である。手拭用タオル１は長方形形状の外観をなし、表裏それぞれに長手方向の上下端寄りに時間情報としての使用可能時間の文字表示２が縫い取りされている。表裏を含めてトータルで４箇所に配置された文字表示２は近い側の短辺方向縁側が下側となるように配置されている。尚、裏面は表面と同様に現れるため図示は省略する。
図２に示すように、手拭用タオル１はトイレ内において表裏いずれかを外側にして長手方向の中央で折ってタオル掛け３に掛けて使用する。この状態で文字表示２はタオルの使用者やトイレの清掃担当者によって目視されてその日付を読むことが可能となる。本実施の形態では午後６時〜午後８時という所定の時間（２時間）が表示されている。
【００１０】
次に、図３のフローチャートに基づいてこのシステムにおける担当者の所作について説明する。
ステップＳ１において担当者は図２の状態の手拭用タオル１の使用可能時間の表示２を目視でチェックする。このタイミングは例えば次のようなケースが想定される。
１）１時間ごとや３０分ごとというような清掃を兼ねた定期的なトイレのチェックの際
２）特に定期的には決められていないが、トイレに入った際に担当者が目視した際
３）担当者の交代の際
次いで、ステップＳ２で担当者は手拭用タオル１の交換時期かどうかを判断する。つまり、文字表示２が現在時刻との関係でまもなく経過するあるいは経過していると判断した場合には、ステップＳ３において次の時間帯の文字表示２、つまりここでは午後８時〜午後１０時という所定の時間（２時間）が表示されている手拭用タオル１と交換して一旦処理は終了する。
一方、ステップＳ２で担当者はまだ現状目視している文字表示２が現在時刻との関係で経過していないと判断した場合には手拭用タオル１を交換せず、一旦処理は終了する。
【００１１】
上記のように構成することで、本実施の形態では次のような効果が奏される。
（１）担当者はトイレ内においてタオル掛け３に掛けられている手拭用タオル１の文字表示２を目視するだけで、そのタオル１が交換すべきものかどうかを判断でき、交換すべき時期であると判断すればて次の時間帯の文字表示２の付された手拭用タオル１を取り替えるだけで、定期的に新しい手拭用タオル１を供給することができる。
（２）トイレを使用する第三者は手拭用タオル１の文字表示２を目視するだけでそのタオル１が現在使用しても大丈夫な程度の新しさであることがわかるため、安心して使用することができる。もし、交換時期を過ぎていれば使用しないという選択もできるためその点でも衛生的で安心である。
【００１２】
尚、本発明は次のように具体化してもよい。
・上記実施の形態のでは手拭用タオル１を一例としたが、ホテルのシーツ、まくらカバー、バスタオル及びテーブルクロスのような使用場所に配置して定期的に交換する性質の対象物に応用することも可能である。
・上記実施の形態において時間情報としての文字表示２で所定に時間を使用したが、これ以外に、日時や月、所定のある日、、昼夜及び午前と午後のような情報を代わりに表示するようにしてもよい。また、これら情報を組み合わせて使用しても構わない。
その他、本発明はその趣旨を逸脱しない範囲において変更した態様で実施することは構わない。
【符号の説明】
【００１３】
１…対象物としての手拭用タオル、２…時間情報としての文字表示。
【図１】
2014006616.tif 000003
【図２】
2014006616.tif 000004
【図３】
2014006616.tif 000005
【手続補正書】
【提出日】平成24年7月4日(2012.7.4)
【手続補正１】
【補正対象書類名】明細書
【補正対象項目名】０００３
【補正方法】変更
【補正の内容】
【０００３】
上記手拭用タオルの例で言えばタオルを適当に交換するのではなく、きちんと交換タイミングを考慮して交換するものであれば、例えばトイレ掃除をする担当者が時間をチェック表等でチェックして前回の交換タイミングから一定時間が経過しているかどうかでこのタイミングを判断することが考えられる。しかし、一々チェック表を見たり新たにチェック表にチェックを入れるのは面倒である。また、担当者がいいかげんであればチェック表にチェックだけ入れて交換しない可能性もある。
一方、タオルを使用する側もいつ換えたかわからないタオルを使用するのはあまり気持ちのよいものではない。そのためそのタオルが置かれて間もないものかそうでないのか知りたいという潜在的な要望がある。
本発明は、上記問題を解消するためになされたものであり、その目的は、定期的に交換する性質の対象物の交換タイミングが明確になり、同時に第三者にも交換されて新しいものとなっているかどうかがわかる定期的に交換する性質の対象物の交換システムを提供することにある。